(57)【特許請求の範囲】
【請求項１】
集合住宅に設置されたガス供給源と、
集合住宅の各戸に設置された各戸ガスメーターと、
前記ガス供給源から各戸ガスメーターを介して各戸にガスを分配するためのガス供給管と、
各戸において、各戸ガスメーターを介して供給されるガスをガス消費機器に導く各戸ガス配管と、
少なくとも前記ガス供給管の部位に介挿したガス供給遮断装置とを有し、
前記各戸ガスメーターは、前記ガス供給管および前記各戸ガス配管を連通しているメーター内ガス通路と、このメーター内ガス通路を遮断するためのメーター内遮断弁と、予め定めたガル値以上の地震により感震信号を発生するように設定されているメーター内感震器と、前記感震信号が入力されると前記メーター内遮断弁を駆動して前記メーター内ガス通路を遮断するメーター内制御回路とを備えており、
前記ガス供給遮断装置は、装置内ガス通路と、この装置内ガス通路を遮断するための装置内遮断弁と、予め定めたガル値以上の地震により感震信号を発生するように設定されている装置内感震器と、前記感震信号が入力されると前記装置内遮断弁を駆動して前記装置内ガス通路を遮断する装置内制御回路とを備えており、
前記各戸ガスメーターのメーターケースは、上ケースと、この上ケースの下端開口部に取り付けた下ケースとを備えており、
前記上ケースの内部には前記メーター内ガス通路が形成され、当該上ケースの内部には、メーター内遮断弁およびメーター内感震器が配置され、当該上ケースの表面には、前記メーター内ガス通路のガス入口側接続管およびガス出口側接続管が取り付けられ、前記下ケースにはガス流量を計測するための計量部が配置されており、
前記ガス供給遮断装置の装置ケースは、前記各戸ガスメーターあるいは当該各戸ガスメーターの各部に対応する部位を備えた大きさの異なるガスメーターにおける上ケースと共通部品のケース本体と、当該ケース本体の前記下端開口部を封鎖している封鎖板とから構成されており、
前記装置内遮断弁および前記装置内制御回路のうち、少なくとも前記装置内遮断弁は、
前記ガスメーターのメーター内遮断弁と共通部品であることを特徴とするガス供給遮断システム。
【請求項２】
集合住宅に設置されたガス供給源と、
集合住宅の各戸に設置された各戸ガスメーターと、
前記ガス供給源から各戸ガスメーターを介して各戸にガスを分配するためのガス供給管と、
各戸において、各戸ガスメーターを介して供給されるガスをガス消費機器に導く各戸ガス配管と、
少なくとも前記ガス供給管の部位に介挿したガス供給遮断装置とを有し、
前記各戸ガスメーターは、前記ガス供給管および前記各戸ガス配管を連通しているメーター内ガス通路と、このメーター内ガス通路を遮断するためのメーター内遮断弁と、予め定めたガル値以上の地震により感震信号を発生するように設定されているメーター内感震器と、前記感震信号が入力されると前記メーター内遮断弁を駆動して前記メーター内ガス通路を遮断するメーター内制御回路とを備えており、
前記ガス供給遮断装置は、装置内ガス通路と、この装置内ガス通路を遮断するための装置内遮断弁と、予め定めたガル値以上の地震により感震信号を発生するように設定されている装置内感震器と、前記感震信号が入力されると前記装置内遮断弁を駆動して前記装置内ガス通路を遮断する装置内制御回路とを備えており、
前記各戸ガスメーターのメーターケースは、上ケースと、この上ケースの下端開口部に取り付けた下ケースとを備えており、
前記上ケースの内部には前記メーター内ガス通路が形成され、当該上ケースの内部には、メーター内遮断弁およびメーター内感震器が配置され、当該上ケースの表面には、前記メーター内ガス通路のガス入口側接続管およびガス出口側接続管が取り付けられ、前記下ケースにはガス流量を計測するための計量部が内蔵されており、
前記ガス供給遮断装置の装置ケースは、前記上ケースと共通部品のケース本体と、当該ケース本体の前記下端開口部を封鎖している封鎖板とから構成されており、
前記装置内遮断弁および前記装置内制御回路のうち、少なくとも前記装置内遮断弁は、前記メーター内遮断弁と共通部品であることを特徴とするガス供給遮断システム。
【請求項３】
請求項１または２において、
前記ガス供給遮断装置は駆動用の電池電源を備えていることを特徴とするガス供給遮断システム。
【請求項４】
請求項１ないし３のうちのいずれかの項において、
前記ガス供給管には、感度が同一の複数台の前記ガス供給遮断装置が直列に接続されていることを特徴とするガス供給遮断システム。
【請求項５】
請求項１または２に記載のガス供給遮断システムに用いるガス供給遮断装置であって、
前記各戸ガスメーターあるいは当該各戸ガスメーターの各部に対応する部位を備えた大きさの異なるガスメーターにおける前記上ケースと共通部品であるケース本体、および、このケース本体の下端開口部を封鎖している封鎖板からなる装置ケースと、
前記装置ケースの内部に形成されている装置内ガス通路と、
前記装置ケースに内蔵されている内蔵部品とを有しており、
前記内蔵部品は、前記装置内ガス通路を遮断するための装置内遮断弁、予め定めたガル値以上の地震により感震信号を発生するように設定されている装置内感震器、前記感震信号が入力されると前記装置内遮断弁を駆動して前記装置内ガス通路を遮断する装置内制御回路、および、駆動用電池電源であり、
前記装置内遮断弁および前記装置内制御回路のうち、少なくとも前記装置内遮断弁は、前記各戸ガスメーターあるいは前記ガスメーターの前記メーター内遮断弁と共通部品であ
ることを特徴とするガス供給遮断装置。
【発明の詳細な説明】
【技術分野】
【０００１】
本発明は、集合住宅における各戸にガスを供給するガス供給システムに関し、特に、地震発生時にガスの供給を遮断する機能を備えたガス供給遮断システムおよびガス供給遮断装置に関する。
【背景技術】
【０００２】
集合住宅のガス供給システム、例えば、ＬＰガスの供給システムでは、複数本のガスボンベに貯留されているＬＰガスを調整器を介してガス供給管に供給し、このガス供給管を介して各戸に分配供給し、各戸でのガス使用量を各戸に設置されているガスメーターにより計量するようにしている。ガスメーターとしては感震遮断機能が備わったものが知られており、地震発生時には各戸のガスメーターに内蔵されている遮断弁が閉じてガス漏れなどに起因する二次災害を防止できるようにしている。
【０００３】
しかしながら、ＬＰガスの供給元の調整器から各戸のガスメーターまでの間のガス供給経路部分には地震対策が講じられていない。地震発生時に、このガス供給経路部分のガス配管が損傷し、漏れ出たガスが滞留して火災、爆発などの二次災害のおそれがある。
【０００４】
特許文献１には、ガス供給基地から各戸にガスを供給するガス供給システムに用いる感震ガス遮断システムが提案されている。この感震ガス遮断システムでは、ガス供給基地及び各戸の双方に感震手段を配置し、これらのいずれかが地震を検知すると、制御手段によってガス供給基地側の遮断弁、各戸のガスメーター側の遮断弁の何れかを遮断するように構成されている。また、特許文献２では、各戸のガスメーターにガスを分配する分岐管の手前に感震手段および遮断弁を配置した感震ガス遮断システムが提案されている。このようなシステムを、ＬＰガスの供給元の調整器から各戸のガスメーターまでの間のガス供給経路部分の地震対策のために用いることができる。
【先行技術文献】
【特許文献】
【０００５】
【特許文献１】特許第３２４０９３８号公報
【特許文献２】特許第３２８９６１９号公報
【発明の概要】
【発明が解決しようとする課題】
【０００６】
特許文献１、２に開示のシステムでは、ガス供給システムの各部に配置されている複数個所の感震手段を通信回線を介して制御手段によって監視し、地震が検出されると制御手段は通信回線を介して各遮断弁を遠隔制御してガス漏れなどを未然に防止している。このようなシステムは一般に設置コストが高く、地震時に通信網が遮断されると十分に機能しないおそれもある。また、既設のガス供給システムに簡単かつ安価に付設することが困難である。
【０００７】
本発明の課題は、このような点に鑑みて、ガス供給元から各戸のガスメーターまでの間のガス供給経路部分の地震対策を簡単かつ廉価に講じることのできるガス供給遮断システム、および、当該システムに用いるのに適したガス供給遮断装置を提案することにある。
【課題を解決するための手段】
【０００８】
上記の課題を解決するために、本発明のガス供給遮断システムは、
集合住宅に設置されたガス供給源と、
集合住宅の各戸に設置された各戸ガスメーターと、
前記ガス供給源から各戸ガスメーターを介して各戸にガスを分配するためのガス供給管と、
各戸において、各戸ガスメーターを介して供給されるガスをガス消費機器に導く各戸ガス配管と、
少なくとも前記ガス供給管の部位に介挿したガス供給遮断装置とを有し、
前記各戸ガスメーターには、前記ガス供給管および前記各戸ガス配管を連通しているメーター内ガス通路と、このメーター内ガス通路を遮断するためのメーター内遮断弁と、予め定めたガル値以上の地震により感震信号を発生するように設定されているメーター内感震器と、前記感震信号が入力されると前記メーター内遮断弁を駆動して前記メーター内ガス通路を遮断するメーター内制御回路とが内蔵されており、
前記ガス供給遮断装置には、前記ガス供給管の一部を規定している装置内ガス通路と、この装置内ガス通路を遮断するための装置内遮断弁と、予め定めたガル値以上の地震により感震信号を発生するように設定されている装置内感震器と、前記感震信号が入力されると前記装置内遮断弁を駆動して前記装置内ガス通路を遮断する装置内制御回路とを備えていることを特徴としている。
【０００９】
本発明では、各戸のガスメーターの感震遮断機能によって地震発生時には各戸においてガスメーターから下流側へのガス供給が遮断される。ガス供給元から各戸へガスを供給するガス供給管には、感震遮断機能を備えたガス供給遮断装置が挿入されているので、地震発生時にはガス供給遮断装置から下流側へのガス供給が遮断される。また、各戸のガスメーターの感震遮断と、ガス供給遮断装置の感震遮断とは別個独立に動作する。感震遮断機能を備えたガス供給遮断装置の感震器の感度を適切な値に設定すると共に、当該ガス供給遮断装置をガス供給管の適切な位置に接続することにより、ガス供給元から各戸へのガス供給経路部分に感震遮断機能を付加できる。また、ガス供給遮断装置は感震器と遮断弁が一体に組み込まれているので、通信回線を介して感震器の信号を監視して別の位置に配置されている遮断弁を遠隔制御する必要が無い。さらに、既設のガス供給システムに対しては、そのガス供給管にガス供給遮断装置を接続するだけで感震遮断機能を付加できる。よって、地震対策が講じられたガス供給システムを簡単かつ廉価に構築できる。
【００１０】
ここで、上記の各戸ガスメーター、これよりも大型の業務用のガスメーターなどの各種サイズのガスメーターは基本的な構造が同一であり、それらのメーターケースは寸法が異なるものの、上ケースと、この上ケースの下端開口部に取り付けた下ケースとを備えており、前記上ケースの内部に前記メーター内ガス通路が形成されており、当該上ケースの内部にメーター内遮断弁およびメーター内感震器が配置され、当該上ケースの表面には、前記メーター内ガス通路のガス入口側接続管およびガス出口側接続管が取り付けられ、前記下ケースにはガス流量を計測するための計量部が内蔵されている。したがって、本発明においては、この構成のガスメーターの構成部品を利用してガス供給遮断装置を構成している。これにより、当該ガス供給遮断装置の製造コストを低減でき、その分、ガス供給システムを廉価に構築できる。
【００１１】
また、本発明においては、ガス供給遮断装置の装置ケースを、各戸ガスメーターの上ケースと共通部品のケース本体と、当該ケース本体の下端開口部を封鎖している封鎖板とから構成し、ガス供給遮断装置の装置内遮断弁および装置内制御回路を、それぞれ、各戸ガスメーターのメーター内遮断弁およびメーター内制御回路と共通部品としている。
【００１２】
また、ガス供給遮断装置は駆動用の電池電源、例えば、リチウム電池を備えていることが望ましい。ガス供給遮断装置を商用電源を利用できない配管部分に接続でき、また、給電用の配線を行うことなく接続することができる。
【００１３】
さらに、ガス供給遮断装置をガス供給管に複数台接続することも可能である。同一の感度の感震器を設置した場合においても、取付け場所、取付け誤差、機差などによって、一方が地震を検知しても他方が地震を検知しないことがある。複数台のガス供給遮断装置を設置しておけば、確実にガス供給管を遮断してガス漏れに起因する二次災害を防止できる。
【００１４】
次に、本発明は、上記のガス供給遮断システムに用いるガス供給遮断装置であって、
前記各戸ガスメーターあるいは当該各戸ガスメーターの各部に対応する部位を備えた大きさの異なるガスメーターにおける前記上ケースと共通部品であるケース本体、および、このケース本体の下端開口部を封鎖している封鎖板からなる装置ケースと、
前記装置ケースの内部に形成されている装置内ガス通路と、
前記装置ケースに内蔵されている内蔵部品とを有しており、
前記内蔵部品は、前記装置内ガス通路を遮断するための装置内遮断弁、予め定めたガル値以上の地震により感震信号を発生するように設定されている装置内感震器、前記感震信号が入力されると前記装置内遮断弁を駆動して前記装置内ガス通路を遮断する装置内制御回路、および、駆動用電池電源であり、
前記装置内遮断弁および前記装置内制御回路のうち、少なくとも前記装置内遮断弁は、前記各戸ガスメーターあるいは当該各戸ガスメーターとは大きさの異なるガスメーターにおける前記メーター内遮断弁と共通部品であることを特徴としている。
【００１５】
この構成のガス供給遮断装置は、その殆どの部品が、各戸ガスメーター、業務用ガスメーター、および、これら以外の大きさのガスメーターのうちの一つのガスメーターの構成部品と共通部品であるので、極めて廉価に製造できる。また、ガスメーターと同様に、ガス供給管の任意の位置に接続することができるので、必要とされるガス供給経路部分にガス供給遮断装置を接続することにより、当該ガス供給経路部分に対して簡単かつ廉価に感震遮断機能を付与することができるので、極めて便利である。
【図面の簡単な説明】
【００１６】
【図１】本発明を適用した集合住宅のＬＰガス供給システムを示す概略構成図である。
【図２】図１の各戸ガスメーターを示す説明図である。
【図３】（ａ）は図１のガス供給遮断装置の上面側斜視図であり、（ｂ）はその底面側斜視図である。
【図４】（ａ）は図３のガス供給遮断装置の平面図であり、（ｂ）はその正面図であり、（ｃ）はその側面図である。
【発明を実施するための形態】
【００１７】
以下に、図面を参照して本発明を適用したガス供給システムの実施の形態を説明する。
【００１８】
図１は本実施の形態に係る集合住宅のＬＰガス供給システムを示す概略構成図である。ＬＰガス供給システム１は、集合住宅２に設置されたＬＰガス供給源３と、集合住宅２の各戸４（４−１、４−２、４−３・・・）に設置された各戸ガスメーター５と、ＬＰガス供給源３から各戸ガスメーター５を介して各戸４にＬＰガスを分配するためのガス供給管６と、ガス供給管６におけるＬＰガス供給源３の側の部位に介挿した１台のガス供給遮断装置７を備えている。
【００１９】
ＬＰガス供給源３は、複数本のＬＰガスボンベ８と、これらのＬＰガスボンベ８のそれぞれから供給されるＬＰガスを一定の圧力でガス供給管６の側に供給する調整器９とを備えている。調整器９の構成は公知であるので詳細な説明は省略する。各戸４には、各戸ガスメーター５を介して供給されるＬＰガスをガスコンロ１０−１、湯沸器１０−２、ストーブ１０−３等の各種のガス消費機器１０に導く各戸ガス配管１１が配置されている。
【００２０】
また、ＬＰガス供給システム１は通信用の伝送装置１２を備えており、伝送装置１２は、通信回線１３を介して監視センター１４との間で通信を行う。また、伝送装置１２は、調整器９、ガス供給遮断装置７および各戸ガスメーター５との間で通信を行い、これらの各部の状態、ガス計量値などを監視センター１４に送信する。勿論、ＬＰガス供給システム１は、通信用の伝送装置１２が備わっていないシステムとすることもできる。例えば、都市ガス用のガスメーターの場合には内蔵の回路基板に通信機能が搭載されておらず、ガス供給遮断装置７の回路基板として都市ガス用のガスメーターに用いられている回路基板を用いることもある。
【００２１】
図２を参照して説明すると、各戸ガスメーター５はマイクロコンピューターが内蔵された所謂、マイコンガスメーターであり、そのメーターケース２１は、上ケース２２と、この上ケース２２の下端開口部２２ａに取り付けた下ケース２３とから構成されている。上ケース２２の上面には、ガス入口側接続管２２ｂおよびガス出口側接続管２２ｃが一体形成されており、その前面には矩形の表示板２４が取り付けられている。なお、その背面の上側には矩形の背面開口（図示せず）が形成されており、この背面開口は、ここに着脱可能に取り付けた背面板（図示せず）によって封鎖されている。下ケース２３にはガス流量を計測するための計量部（図示せず）が内蔵されており、その前面には液晶表示器２５が取り付けられている。
【００２２】
上ケース２２の内部には、ガス入口側接続管２２ｂおよびガス出口側接続管２２ｃの間を繋ぐメーター内ガス通路２６が一体形成されている。このメーター内ガス通路２６には、これを遮断するためのメーター内遮断弁２７が配置されている。また、下ケース２３の内部には、メーター内感震器２８と、メーター内感震器２８から感震信号を受け取るとメーター内遮断弁２７を駆動してメーター内ガス通路２６を遮断する感震遮断制御回路（メーター内制御回路）およびその他のガス計量用の制御回路が搭載されている制御基板２９とが配置されている。
【００２３】
図３、図４に示すように、ガス供給遮断装置７の装置ケース３１は、ケース本体３２と、このケース本体３２の下端開口部３２ａを封鎖している封鎖板３３とから構成されている。ケース本体３２は、各戸ガスメーター５よりも大型の業務用ガスメーターの上ケース２２と共通部品であり、その上面には、ガス入口側接続管３２ｂおよびガス出口側接続管３２ｃが配置されており、その背面の上側には矩形の背面開口３２ｄが形成されている。この背面開口３２ｄは、ここに着脱可能に取り付けた背面板３５によって封鎖されている。また、ケース本体３２の前面には表示板３４が取り付けられている。業務用ガスメーターも各戸ガスメーター５と構造が同一であり、そのメーターケースは、上ケースと、この上ケースの下端開口部に取り付けた下ケースとから構成されている。上ケースの上面には、ガス入口側接続管およびガス出口側接続管が一体形成されており、その前面には表示板が取り付けられている。
【００２４】
装置ケース３１の内部には、ガス入口側接続管３２ｂおよびガス出口側接続管３２ｃの間を繋ぐ装置内ガス通路３６が一体形成されている。また、装置ケース３１の内部には、装置内ガス通路３６を遮断するための装置内遮断弁３７と、予め定めたガル値以上の地震により感震信号を発生するように設定されている装置内感震器３８と、感震信号が入力されると装置内遮断弁３７を駆動して装置内ガス通路３６を遮断する感震遮断制御回路（装置内制御回路）を含む制御回路が搭載されている制御基板３９とが配置されている。
【００２５】
ガス供給遮断装置７の装置ケース３１の内部には、駆動用の電池電源が搭載されている。本例では、各戸ガスメーター５の駆動電源として用いられているリチウム電池（図示せず）が駆動用電源として搭載されている。
【００２６】
このように、ガス供給遮断装置７における装置内ガス通路３６が内部に形成されているケース本体３２、および装置内遮断弁３７が、それぞれ、業務用ガスメーターの上ケースおよびメーター内遮断弁と共通部品である。ガスメーター側の感震制御回路とガス供給遮断装置７の感震制御回路も共通の回路とすることもできる。なお、ガス供給遮断装置７を各戸ガスメーター５の構成部品と共通化を図った場合には、ガス供給遮断装置７における装置内ガス通路３６が内部に形成されているケース本体３２、および装置内遮断弁３７が、それぞれ、各戸ガスメーター５の上ケース２２、およびメーター内遮断弁２７と共通部品になる。
【００２７】
次に、各戸ガスメーター５のメーター内感震器２８と、ガス供給遮断装置７の装置内感震器３８は、それらの感震信号が発生するガル値が異なっている。本例では、装置内感震器３８は、メーター内感震器２８に比べて、より高いガル値の地震によって感震信号を発生するように設定されている。換言すると、各戸ガスメーター５の側のメーター内感震器２８の方がより小さな振動の地震で感震信号を発生してガス遮断動作が行われるように設定されている。なお、装置内感震器３８の方がメーター内感震器２８に比べて、より低いガル値の地震によって感震信号を発生するように設定することも可能である。また、装置内感震器３８とメーター内感震器２８を、同一のガル値の地震によって感震信号を発生するように設定することも可能である。
【００２８】
また、ガス供給遮断装置７に、ガス漏れ警報器、ＣＯ警報器、火災報知器などの各種の警報器を接続しておくことも可能である。このようにすれば、これらの警報器から警報信号が発生すると、ガス供給遮断装置７が駆動してガスの供給が止まるので、安全性のより高いガス供給システムを構築することができる。
【００２９】
ここで、ガス供給遮断装置７の装置内感震器３８はケース本体３２の内部に形成した取付け座（図示せず）にネジ止めされている。ケース本体３２の背面に取り付けた背面板３５を取り外すと、露出した背面開口３２ｄを介して装置内感震器３８にアクセスでき、その交換作業を行うことができる。感度の異なる装置内感震器３８を用意しておくことにより、ガス供給遮断装置７の設置場所に最も適した感度の感震器を取り付けることができる。また、感度を変えるための感震器の交換作業も簡単に行うことができる。
【００３０】
なお、メーター内感震器２８、装置内感震器３８としては、すり鉢状の台座面に静止状態で載っている所定質量の鋼球が地震による振動によって転動して台座面から外れる動作を利用して地震を検知する構造のものを用いることができる。この構造の感震器は公知であり、例えば、特開昭５７−７６４２１号公報、特開平０８−５００５５号公報、特開平０９−１６６４８０号公報に開示されている。この構造の感震器の場合には、鋼球を載せる台座面の傾斜角度、底の形成されている円形孔の内径寸法などを変えることにより、感度を変えることができる。勿論、これ以外の構造の感震器を用いることも可能である。
【００３１】
上記構成のＬＰガス供給システム１では、地震が発生し、それによってメーター内感震器２８、装置内感震器３８に作用する振動の加速度が、これらに予め設定されているガル値を超えた場合には、感震信号が発生する。ガル値がガス供給遮断装置７の装置内感震器３８の設定ガル値よりも低く、各戸ガスメーター５のメーター内感震器２８のガル値以上の場合には、メーター内感震器２８のみから感震信号が出力され、メーター内遮断弁２７が駆動して、メーター内ガス通路を遮断する。この結果、各戸においてガスメーター５から下流側へのガス供給が遮断され、各戸においてガス配管が地震により損傷してもガス漏れ、それに伴う火災発生などの二次災害を未然に防止できる。
【００３２】
地震によって、ガス供給遮断装置７の装置内感震器３８に、その設定ガル値よりも大きなガル値の振動が作用すると、メーター内感震器２８および装置内感震器３８の双方から感震信号が発生し、ガス供給管の上流側においてガス供給が遮断され、同時に、各戸においても各戸ガスメーター５の下流側へのガス供給が遮断される。よって、ガス供給管が地震によって破損して、ガス漏れ、漏れ出たガスの滞留、滞留したガスへの引火による火災発生などの災害を未然に防止できる。
【００３３】
ここで、設置場所等に応じて、地震によって発生する振動が相違する。この結果、ガス供給遮断装置７の設置場所では大きな振動が発生していないにも拘わらず、ガス供給管の下流側の部位、例えば、各戸への分岐管部分等が位置する場所では大きな振動が発生することがある。この場合、ガス供給管の下流側の部位が破損してガス漏れが発生するおそれがある。このような弊害を確実に防止するためには、例えば、図１において想像線で示すように、ガス供給管の上流端側の部位にガス供給遮断装置７を接続すると共に、同一構成のガス供給遮断装置７Ａを、ガス供給管６の下流側の部位に接続しておけばよい。これらのガス供給遮断装置７、７Ａの感震器の感度は同一であってもよいが、異なる感度として、下流側の方が小さな振動でガス遮断されるようにしておいてもよい。
【００３４】
なお、上記の例は、ＬＰガス供給システムに関するものであるが、本発明は、ＬＰガス以外のガスを供給するガス供給システムに対しても同様に適用できることは勿論である。また、上記の例では、ガス供給遮断装置７をガス供給管に接続しているが、これと共に、ガス供給遮断装置７を各戸のガス配管に接続して（すなわち、各戸ガスメーターの下流側に接続して）、特定のガス消費機器、あるいはガス消費器具に接続されているガス配管に感震遮断機能を付与することも可能である。
【符号の説明】
【００３５】
１    ＬＰガス供給システム
２    集合住宅
３    ＬＰガス供給源
４    各戸
５    各戸ガスメーター
６    ガス供給管
７、７Ａ  ガス供給遮断装置
８    ＬＰガスボンベ
９    調整器
１０  ガス消費機器
１１  各戸ガス配管
１２  伝送装置
１３  通信回線
１４  監視センター
２１  メーターケース
２２  上ケース
２２ａ  下端開口部
２２ｂ  ガス入口側接続管
２２ｃ  ガス出口側接続管
２３  下ケース
２４  表示板
２５  液晶表示器
２６  メーター内ガス通路
２７  メーター内遮断弁
２８  メーター内感震器
２９  制御基板
３１  装置ケース
３２  ケース本体
３２ａ  下端開口部
３２ｂ  ガス入口側接続管
３２ｃ  ガス出口側接続管
３２ｄ  背面開口
３３  封鎖板
３４  表示板
３５  背面板
３６  装置内ガス通路
３７  装置内遮断弁
３８  装置内感震器
３９  制御基板
【図１】
0005912753.tif 000002
【図２】
0005912753.tif 000003
【図３】
0005912753.tif 000004
【図４】
0005912753.tif 000005